(57)【要約】【課題】各遊技機に対応して設けられた各台計数機に不正な遊技媒体を排除する構成を設けることなく、不正な遊技媒体を適切に排除する。【解決手段】メダル（遊技媒体）が回収路４３からメダル補給装置８１の循環経路１１２を経由して補給路４２に補給されるまでの区間に、不正なメダルを循環経路１１２から排出する不正メダル排出装置８４を設けた。不正なメダルがスロットマシン２や各台計数機３に補給される前に、不正なメダルを循環経路１１２から排出することができ、不正なメダルがスロットマシン２や各台計数機３に補給されてしまうことを抑制することができる。又、各台計数機３に不正なメダルを排除する構成を設ける必要をなくすことができる。【選択図】図５
2014140576.tif 000002
【特許請求の範囲】
【請求項１】
遊技機島を形成する複数の遊技機にそれぞれ対応して設けられ、遊技者に遊技媒体を貸出す貸出手段と、
各遊技機に対応してそれぞれ設けられ、遊技者が獲得した遊技媒体の数を計数する計数手段と、
前記計数手段に投入された遊技媒体を回収して前記遊技機島に設けられた循環経路に案内する回収手段と、
前記循環経路にて循環された遊技媒体を前記貸出手段に補給する補給手段と、
遊技媒体が前記計数手段に投入されてから前記回収手段により前記循環経路に案内されるまでの区間に設けられ、遊技者が前記計数手段にて正規の遊技媒体ではない不正な遊技媒体を計数しようとした不正行為を検知する不正計数検知手段と、
遊技媒体が前記回収手段から前記循環経路を経由して前記貸出手段に補給されるまでの区間に設けられ、前記不正計数検知手段が不正行為を検知した場合に前記不正な遊技媒体を前記循環経路から排出するように駆動する不正遊技媒体排出手段と、を備えたことを特徴とする遊技場用システム。
【請求項２】
前記不正な遊技媒体を貯留する貯留部を備え、
前記不正遊技媒体排出手段として、前記不正な遊技媒体であることを検知する不正遊技媒体検知手段と、前記不正遊技媒体検知手段が検知した前記不正な遊技媒体を前記貯留部に案内する案内手段と、を備えたことを特徴とする請求項１に記載した遊技場用システム。
【請求項３】
前記循環経路は、前記不正遊技媒体検知手段による検知が行われる異常時経路と、前記不正遊技媒体検知手段による検知が行われない正常時経路と、を備え、
前記不正遊技媒体排出手段として、前記不正計数検知手段が不正を検知した場合に遊技媒体が前記異常時経路を循環するように前記循環経路を前記正常時経路から前記異常時経路に切換えるように駆動する経路切換手段を備えたことを特徴とする請求項１又は２に記載した遊技場用システム。
【発明の詳細な説明】
【技術分野】
【０００１】
本発明は、遊技機島を形成する複数の遊技機にそれぞれ対応して、遊技者が獲得した遊技媒体の数を計数する計数手段が設けられた遊技場用システムに関する。
【背景技術】
【０００２】
従来、遊技場には、遊技者が遊技を行って獲得した遊技媒体（玉やメダル）を計数する計数機が設けられている。遊技媒体を計数機にて計数した後に、その計数した遊技媒体の数に応じて遊技者は景品を獲得することが可能である。このように遊技媒体を計数することで景品を獲得することができるので、正規の遊技媒体（自店が発行した遊技媒体）とは異なる不正な遊技媒体（自店が発行した遊技媒体以外の遊技媒体であり、他店が発行した遊技媒体や遊技者が偽造した遊技媒体等）を持ち込んで多くの遊技媒体を計数し、多くの景品を獲得する不正行為が発生している。
【０００３】
このため、特許文献１及び２では、不正な遊技媒体を正規の遊技媒体と区別する技術が提案されている。特許文献１及び２で提案されている技術により、不正な遊技媒体の持ち込を抑制することが可能となる。又、遊技場によっては、遊技機にそれぞれ対応して各台計数機が設けられている場合がある。各台計数機が設けられている遊技場では、各台計数機にて計数された遊技媒体は、複数の遊技機が設置された遊技機島内の循環経路を循環し、遊技機に隣接して設けられた遊技媒体の貸出機に再度補給される。
【０００４】
ところで、上記した理由により、不正な遊技媒体が各台計数機に投入される場合がある。このような問題に対し、各台計数機にセンサを設け、不正な遊技媒体が各台計数機に投入されたとしても、正規の遊技媒体と不正な遊技媒体とを判別することで、不正な遊技媒体を正規の遊技媒体として計数してしまうことは抑制可能であるが、投入された不正な遊技媒体が循環経路を循環してしまうことは避けられない。不正な遊技媒体が循環経路を循環してしまうと、循環した不正な遊技媒体が貸出機に再度補給されてしまう虞がある。そこで、特許文献３には、不正な遊技媒体が各台計数機に投入された場合に、その不正な遊技媒体を排除する技術が提案されている。
【先行技術文献】
【特許文献】
【０００５】
【特許文献１】特開２０１２−２４６３５号公報
【特許文献２】特開２０１１−５０４８５号公報
【特許文献３】特開２００９−２４０４６０号公報
【発明の概要】
【発明が解決しようとする課題】
【０００６】
しかしながら、各台計数機にて不正な遊技媒体を排除する構成を設けようとしても、各台計数機が遊技機に対応してそれぞれ設けられているので、不正な遊技媒体を排出する機構や、排出した不正な遊技媒体を正規の遊技媒体と区別して保管するスペースが確保し難いという問題がある。
【０００７】
本発明は、上記した事情に鑑みてなされたものであり、その目的は、各遊技機に対応して設けられた計数手段に不正な遊技媒体を排除する構成を設けることなく、不正な遊技媒体を適切に排除することができる遊技場用システムを提供することにある。
【課題を解決するための手段】
【０００８】
請求項１に記載した発明は、遊技機島を形成する複数の遊技機にそれぞれ対応して設けられ、遊技者に遊技媒体を貸出す貸出手段と、各遊技機に対応してそれぞれ設けられ、遊技者が獲得した遊技媒体の数を計数する計数手段と、前記計数手段に投入された遊技媒体を回収して前記遊技機島に設けられた循環経路に案内する回収手段と、前記循環経路にて循環された遊技媒体を前記貸出手段に補給する補給手段と、遊技媒体が前記計数手段に投入されてから前記回収手段により前記循環経路に案内されるまでの区間に設けられ、遊技者が前記計数手段にて正規の遊技媒体ではない不正な遊技媒体を計数しようとした不正行為を検知する不正計数検知手段と、遊技媒体が前記回収手段から前記循環経路を経由して前記貸出手段に補給されるまでの区間に設けられ、前記不正計数検知手段が不正行為を検知した場合に前記不正な遊技媒体を前記循環経路から排出するように駆動する不正遊技媒体排出手段と、を備えたことを特徴とする。
【０００９】
請求項２に記載した発明は、前記不正な遊技媒体を貯留する貯留部を備え、前記不正遊技媒体排出手段として、前記不正な遊技媒体であることを検知する不正遊技媒体検知手段と、前記不正遊技媒体検知手段が検知した前記不正な遊技媒体を前記貯留部に案内する案内手段と、を備えたことを特徴とする。
【００１０】
請求項３に記載した発明は、前記循環経路は、前記不正遊技媒体検知手段による検知が行われる異常時経路と、前記不正遊技媒体検知手段による検知が行われない正常時経路と、を備え、前記不正遊技媒体排出手段として、前記不正計数検知手段が不正を検知した場合に遊技媒体が前記異常時経路を循環するように前記循環経路を前記正常時経路から前記異常時経路に切換えるように駆動する経路切換手段を備えたことを特徴とする。
【発明の効果】
【００１１】
請求項１に記載した発明によれば、遊技媒体が回収手段から循環経路を経由して貸出手段に補給されるまでの区間に、不正な遊技媒体を循環経路から排出するように駆動する不正遊技媒体排出手段を設けたので、不正な遊技媒体が貸出手段に補給される前に、不正な遊技媒体を循環経路から排出することができ、不正な遊技媒体が貸出手段に補給されてしまうことを抑制することができる。又、計数手段に不正な遊技媒体を排除する構成を設ける必要をなくすことができる。又、大量の遊技媒体が循環されることが想定されるが、遊技者が計数手段にて不正な遊技媒体を計数しようとした不正行為を不正計数検知手段が検知した場合に不正遊技媒体排出手段を駆動するようにしたので、不正遊技媒体排出手段を常に駆動する必要がなく、循環中の遊技媒体の全てに対して一様に不正な遊技媒体であるか否かを判定する場合に比べ、遊技媒体の循環速度を速くしたり、不正遊技媒体排出手段に過度な負荷がかかることを抑制したりすることができる。
【００１２】
請求項２に記載した発明によれば、不正な遊技媒体が貯留部に貯留されるようにしたので、遊技場の管理者が不正な遊技媒体を容易に回収することができる。
請求項３に記載した発明によれば、不正計数検知手段による検知を行う場合に、遊技媒体を整列させる等の検知を行い易い状態とする必要があると想定されるが、不正遊技媒体検知手段による検知が行われる異常時経路と、不正遊技媒体検知手段による検知が行われない正常時経路とを切換えるようにしたので、循環中の遊技媒体の全てに対して一様に検知を行い易い状態とする場合に比べ、遊技媒体の循環速度が遅くなることを抑制することができる。
【図面の簡単な説明】
【００１３】
【図１】本発明の一実施形態を示す全体構成図
【図２】各台計数機の正面図（ａ）、縦断側面図（ｂ）及び回転盤本体の平面図（ｃ）
【図３】開放状態（ａ）及び閉鎖状態（ｂ）を示す斜視図
【図４】各台計数機の機能ブロック図
【図５】メダル補給装置の構成を示す図
【図６】正常時経路と異常時経路とを切換える態様を示す図
【図７】不正メダル排出装置の構成を示す平面図
【図８】不正メダル排出装置の構成を示す側面図
【図９】各台計数機に対応する経路切換時間を示す図
【発明を実施するための形態】
【００１４】
以下、本発明を、遊技機に対応してそれぞれ各台計数機が設けられた遊技場用システムに適用した一実施形態について図面を参照して説明する。図１は遊技場用システム１の全体構成を概略的に示している。遊技場には、遊技機としてのスロットマシン２に対応して各台計数機３及び表示装置４が設置されている。２台のスロットマシン２、２台の各台計数機３及び２台の表示装置４は１台の中継装置５に接続されており、中継装置５はＬＡＮ６を介して管理装置７に接続されている。管理装置７は、遊技場内の例えば管理室に設置されており、主装置８、遊技場の管理者が操作するマウス９及びキーボード１０、モニタ１１やプリンタ（図示せず）等が組み合わされて構成されている。尚、図１では省略しているが、数１００台のスロットマシン２が管理装置７の管理対象となる。又、本実施形態では遊技機がスロットマシン２であるので、遊技媒体はメダルである。遊技機がパチンコ機であれば、遊技媒体はパチンコ玉である。
【００１５】
スロットマシン２は、遊技者がリールを視認可能な表示窓１２、有効化された入賞ラインを示す有効ライン表示部１３、表示パネル１４、クレジットメダルの投入を行うクレジットボタン１５、クレジットメダルの精算を行う精算ボタン１６、メダルを投入するメダル投入口１７、スタートレバー１８、左ストップボタン１９、中ストップボタン２０、右ストップボタン２１、受け皿２２等を有する。受け皿２２には「６００〜８００枚」のメダル（貸単価が例えば「２０円」であれば「１２０００〜１６０００円」相当のメダル）が収納可能である。
【００１６】
スロットマシン２は、メダルが投入された状態でスタートレバー１８が操作されると（ゲーム開始操作が行われると）、各リールを始動（回転）させ、発生する乱数の中から１つの乱数を抽出して内部抽選を実行すると共に、内部当選役がある場合には当該内部当選役に対応するフラグを成立させ、この状態で各ストップボタン１９〜２１が操作されると、対応するリールの回転を停止させる。続いて、内部当選役のフラグに応じて各リールの停止位置を決定するための図示しない停止テーブルに基づいて、所謂引込制御（すべり制御）を含む停止制御（各リールを内部当選役フラグの種類に応じた入賞図柄又はハズレ図柄で停止表示させる制御）を実行する。引込制御は、各ストップボタン１９〜２１の操作を検知した時点から予め規定された引込範囲（最大で４図柄まで）にある図柄を入賞ライン上に引込んで停止させることが可能な制御である。尚、内部当選役フラグに対応する図柄が引込範囲内に存在しないときは、その図柄を入賞ライン上に引き込んで停止させることができないので、入賞が発生せず、所謂取りこぼしとなる。
【００１７】
スロットマシン２は、以下に示す遊技信号を出力する。
「アウト信号」：遊技に使用された遊技媒体数（使用数、アウト）を特定可能な信号である。ゲームの開始操作に応じてＢＥＴ状態のメダル数（３枚又は１枚）分がパルス出力されるので、アウト信号数×１をアウトとして特定する。尚、リプレイ役入賞時にも対応分が出力される。
【００１８】
「セーフ信号」：遊技者に付与した（遊技者が獲得した）遊技媒体数（付与数、セーフ）を特定可能な信号である。メダルが１枚払出される毎に１パルスが出力されるので、セーフ信号数×１をセーフとして特定する。尚、リプレイ役入賞時にも、そのゲームに使用されたメダル分が出力される。
【００１９】
「ＢＢ信号」：ＢＢ（ビッグボーナス）状態を特定可能な信号である。ＢＢ状態中にレベル出力されるので、ＢＢ信号入力中をＢＢ状態中として特定する。大当たり状態の発生を特定可能な大当たり信号である。
「ＲＢ信号」：ＲＢ（レギュラーボーナス）状態を特定可能な信号である。ＲＢ状態中にレベル出力されるので、ＲＢ信号入力中をＲＢ状態中として特定する。ＢＢ信号と同様に、大当たり状態の発生を特定可能な大当たり信号である。
【００２０】
表示装置４は、各種の遊技情報（ＢＢ状態やＲＢ状態の発生回数、スタート回数、ＡＲＴの発生回数、平均獲得枚数等）を表示する情報表示部２３、遊技場の従業員を呼出すときに遊技者が押下する呼出ボタンや情報表示部２３が表示する遊技情報を切換えるときに遊技者が押下する切換ボタン等を含む操作部２４、遊技場の従業員が所持する操作リモコン（図示せず）から送信されたリモコン信号を受信する受光部２５等を有する。又、表示装置４は、ＣＰＵ、ＲＯＭ、ＲＡＭ、Ｉ／Ｏを有するマイクロコンピュータにより構成される制御部、スロットマシン２や各台計数機３や管理装置７との間で各種信号を入出力する入出力部等を有する。
【００２１】
表示装置４は、制御部が予め記憶している制御プログラムを実行し、スロットマシン２から遊技信号（アウト信号、セーフ信号、ＢＢ信号、ＲＢ信号）を入力したり、遊技者が操作部２４を操作したり、操作リモコンからリモコン信号を受光部２５により受信したりすることで、各種の遊技情報を情報表示部２３に表示する等の処理を行う。尚、表示装置４は、リモコン信号を受光部２５により受信すると、その受信したリモコン信号（後述する開放信号又は閉鎖信号）を特定可能な信号を各台計数機３に出力する。
【００２２】
管理装置７は、ＣＰＵ、ＲＯＭ、ＲＡＭ、Ｉ／Ｏを有するマイクロコンピュータにより構成される制御部、スロットマシン２や各台計数機３や表示装置４との間で各種信号を入出力する入出力部等を有する。管理装置７は、制御部が予め記憶している制御プログラムを実行し、スロットマシン２から入力する遊技信号（アウト信号、セーフ信号、ＢＢ信号、ＲＢ信号）、各台計数機３から入力する貸出信号等に基づいて、スロットマシン２の遊技情報（アウト、セーフ、差メダル、ＢＢ回数、ＲＢ回数等）を集計したり、貸出情報（売上情報）を算出したりする等の処理を行う。
【００２３】
各台計数機３は、図２にも示すように、その筐体２６の正面２６ａ側に、各台計数機３の動作状態を示す状態表示ランプ２７、遊技者が紙幣を投入するための紙幣投入口２８、遊技者が会員カードや持玉券を挿入したり新規の持玉券を発行したりするためのカード挿入口２９、テンキーを含むパスワード入力ボタン群３０や貸出ボタン３１や開放ボタン３２や払出ボタン３３や発行ボタン３４を含む操作部３５、残クレジット数を表示する残クレジット数表示部３６、持玉数（後述する計数済持玉数であり、計数部４１により計数した計数値から払出部４０により払出した払出値を差し引いた持玉数）を表示する持玉数表示部３７、遊技者がメダルを取り出すための取出口３８、遊技者がメダルを投入する投入口３９等を有する。
【００２４】
筐体２６の内部には、メダルを払出す払出部４０（貸出手段に相当）、メダルを計数する計数部４１（計数手段に相当）が設けられている。筐体２６の裏面２６ｂ側には、メダルを払出部４０に補給するための補給路４２（補給手段に相当）、メダルを計数部４１から回収するための回収路４３（回収手段に相当）が設けられている。
【００２５】
払出部４０は、メダルを収納する収納容器４４、回転盤４５を有する回転盤本体４６、回転盤４５を回転させるモータ４７、回転盤本体４６から上記した取出口３８にメダルを排出する排出路４８等を有する。収納容器４４にはメダルを回転盤本体４６に排出する排出路４９が一体的に形成されており、その排出路４９の途中部位には補給検知センサ５０が設けられている。又、回転盤本体４６から取出口３８に連なる排出路４８の途中部位には払出検知センサ５１が設けられている。
【００２６】
払出部４０においては、補給路４２から筐体２６の裏面２６ｂの開口部５２を介してメダルが補給されると、その補給されたメダルは、収納容器４４に収納されて排出路４９の補給検知センサ５０を通過して回転盤本体４６に排出される。回転盤本体４６に排出されたメダルは回転盤４５がモータ４７により回転軸５３を回転中心として例えば反時計周りに回転することで、回転盤４５に形成されている５個の穴部５４のうち何れかに挿入された状態で所定位置まで回転されると、ガイドピン５５により排出路４８に送出される。排出路４８に送出されたメダルは払出検知センサ５１を通過した後に筐体２６の正面２６ａの開口部５６を介して取出口３８に排出される。尚、遊技者によるメダルの払出操作を検知したことを契機として回転盤４５が回転するように構成されている。
【００２７】
計数部４１は、基本的には上記した払出部４０と同様の構造である。計数部４１は、メダルを収納する収納容器５７、回転盤５８を有する回転盤本体５９、回転盤５８を回転させるモータ６０、回転盤本体５９から上記した回収路４３にメダルを排出する排出路６１等を有する。収納容器５７にはメダルを回転盤本体５９に排出する排出路６２が一体的に形成されており、その排出路６２の途中部位には投入検知センサ６３が設けられている。又、回転盤本体５９から回収路４３に連なる排出路６１の途中部位には計数検知センサ６４（不正計数検知手段に相当）が設けられている。
【００２８】
計数部４１においては、遊技者がメダルを投入口３９に投入すると、その投入されたメダルは、筐体２６の正面２６ａの開口部６５を介して収納容器５７に収納されて排出路６２の投入検知センサ６３を通過して回転盤本体５９に排出される。回転盤本体５９に排出されたメダルは回転盤５８がモータ６０により回転軸６６を回転中心として例えば反時計周りに回転することで、回転盤５８に形成されている５個の穴部６７のうち何れかに挿入された状態で所定位置まで回転されると、ガイドピン６８により排出路６１に送出される。排出路６１に送出されたメダルは計数検知センサ６４を通過した後に筐体２６の裏面２６ｂの開口部６９を介して回収路４３に排出される。そして、回収路４３に排出されたメダルはベルトコンベア７０により排出される。尚、投入検知センサ６３がメダルの通過を検知したことを契機として回転盤５８が回転するように構成されている。尚、図２（ｂ）に示すように、払出部４０における回転盤本体４６から排出路４８が延設されている方向（払出されるメダルが送出される方向）と、計数部４１における回転盤本体５９から排出路６１が延設されている方向（計数されるメダルが送出される方向）とは、実際の構成では反対であるが、図２（ｃ）では便宜上同一として示している。
【００２９】
投入口３９の上方には、投入口３９の開口部３９ａを開放する開放位置（図２（ｂ）にて実線にて示す位置）と閉鎖する閉鎖位置（図２（ｂ）にて二点鎖線にて示す位置）との間を往復移動可能な平板形状の開閉部材７１が設けられている。図３（ａ）に示すように、開閉部材７１が開放位置に移動された開放状態は、開口部３９ａを開放していることで、メダルの投入口３９への投入が可能（メダルの計数が可能）な投入可能状態である。開放状態では、開閉部材７１の全体が筐体２６の内部に格納されることで、開口部３９ａの何れの領域でも開閉部材７１に覆われることはなく、遊技者がメダルを投入口３９に投入する作業を一切妨げない。
【００３０】
一方、図３（ｂ）に示すように、開閉部材７１が閉鎖位置に移動された閉鎖状態は、開口部３９ａを閉鎖していることで、メダルの投入口３９への投入が不可能（メダルの計数が不可能）な投入不可能状態である。閉鎖状態では、投入口３９の開口部３９ａの全域が開閉部材７１により覆われ（密閉され）、遊技者がメダルを投入口３９に投入する作業を一切受付けない。勿論、メダル以外の例えばタバコや飲料等の異物を投入することも不可能である。
【００３１】
図４は、各台計数機３の電気的な構成を機能ブロック図により示している。制御部７２は、ＣＰＵ７２ａ、ＲＯＭ７２ｂ、ＲＡＭ７２ｃ、Ｉ／Ｏ７２ｄを有するマイクロコンピュータにより構成されており、状態表示ランプ２７、操作部３５、残クレジット数表示部３６、持玉数表示部３７、紙幣投入口２８に投入された紙幣を処理する（種類や枚数等を判定する）紙幣処理部７３、カード挿入口２９に挿入された会員カードに記録されている会員ＩＤや貯玉数を読み出したり更新したり、カード挿入口２９に挿入された持玉券に記録されている計数済持玉数を読み出したり更新したり、新しく発行する持玉券に計数済持玉数を記録したりするカード処理部７４、払出部４０、計数部４１、開閉部材７１を開放位置と閉鎖位置との間で移動させる例えばモータにより構成される駆動部７５、中継装置５との間で各種信号を入出力する入出力部７６を接続している。尚、制御部７２を含む他の機能ブロック（紙幣処理部７３やカード処理部７４等）は、上記した払出部４０及び計数部４１と共に、筐体２６の内部に収容されている。具体的には、図２では制御部７２のみを示すが、紙幣処理部７３は紙幣投入口２８の背後に設置され、カード処理部７４はカード挿入口２９の背後に設置される。
【００３２】
制御部７２は、駆動指令信号を払出部４０のモータ４７に出力することで、メダルを貸出したり払出したりする。このとき、補給検知センサ５０は、メダルが通過する毎に検知信号を制御部７２に出力し、制御部７２は、補給検知センサ５０から検知信号を入力することで、メダルの貸出しや払出しを検知する。払出検知センサ５１は、メダルが通過する毎に検知信号を制御部７２に出力し、制御部７２は、払出検知センサ５１から検知信号を入力することで、貸出されたり払出されたりするメダルの枚数を検知する。
【００３３】
同様に、制御部７２は、駆動指令信号を計数部４１のモータ６０に出力することで、遊技者が投入したメダルを計数する。このとき、投入検知センサ６３は、メダルが通過する毎に検知信号を制御部７２に出力し、制御部７２は、投入検知センサ６３から検知信号を入力することで、メダルの投入を検知する。計数検知センサ６４は、通過するメダルを撮像するカメラやスキャナを有し、メダルが通過する毎にカメラやスキャナにより撮像したメダル（通過したメダル）の模様やサイズを特定可能な画像を制御部７２に出力する。この場合、カメラやスキャナの個数は任意であり、メダルの表面だけを撮像した画像、メダルの裏面だけを撮像した画像、メダルの表面と裏面の双方を撮像した画像の何れを出力しても良い。
【００３４】
各台計数機３は、制御部７２が予め記憶している制御プログラムを実行することで以下に示すメダルの貸出、メダルの計数、メダルの払出、持玉券の発行、開閉部材７１の開閉、不正なメダルの投入の検知を行う。
【００３５】
（１）メダルの貸出
「千円札」、「２千円札」、「５千円札」、「１万円札」の４種類の紙幣を紙幣投入口２８にて受付可能であり、何れかの紙幣を紙幣投入口２８にて受付けると、５０枚のメダルを払出部４０により貸出す。即ち、例えばメダルの貸単価が２０円であれば、１０００円分に相当するメダルを貸出す。この場合、「千円札」の紙幣を紙幣投入口２８にて受付けていれば、１０００円分に相当する５０枚のメダルを貸出し、残クレジット数（メダルに換金していない金額）を０円として記憶し、「５千円札」の紙幣を紙幣投入口２８にて受付けていれば、１０００円分に相当する５０枚のメダルを貸出し、残クレジット数を４０００円として記憶する。尚、メダルを５枚貸出す毎に貸出信号を１パルスで出力する。即ち、１０００円分に相当する５０枚のメダルを貸出す際には貸出信号を１０パルスで出力する。貸出信号数×５が貸出メダル数に相当し、その貸出メダル数に貸出単価を乗じた値が売上額に相当する。残クレジット数がある状態では、遊技者が貸出ボタン３１を押下する毎に、１０００円分のメダルを払出部４０により貸出し、残クレジット数を更新する。
【００３６】
（２）メダルの計数
遊技者がメダルを投入口３９に投入したことに応じて、投入検知センサ６３がメダルを検知すると、投入口３９から計数部４１に排出されたメダルを計数部４１により計数する（回転盤５８を回転させてメダルを計数検知センサ６４に排出し、排出したメダルを検知する）。計数検知センサ６４がメダルを検知することに応じて、計数部４１により計数した計数値を計数済持玉数としてＲＡＭ７２ｃに一時的に記憶する。計数検知センサ６４が最後にメダルを検知してからの時間を計測し、その時間が５秒に達すると、回転盤５８を１秒間逆方向に回転させ、更に回転盤５８を５秒間順方向に回転させる。その間に、計数検知センサ６４がメダルを検知しなければ、計数を終了する。回転盤５８を逆方向に回転させるのは、メダル詰まりを解消するためである。上記したように基本的には計数を自動的に開始するが、メダルが詰まった（回転盤５８の回転が停止した）場合や投入検知センサ６３がメダルを検知しなかった場合には、遊技者が開放ボタン３２を押下したことを契機として計数を開始する。
【００３７】
（３）メダルの払出
遊技者が払出ボタン３３を押下すると、これよりも前にメダルを計数しており、そのメダルの計数によりＲＡＭ７２ｃに一時的に記憶しておいた計数済持玉数が５０枚以上であれば、その範囲内でメダルを５０枚単位で払出部４０により払出し、計数済持玉数が５０枚未満であれば、その５０枚未満の全てのメダルを払出部４０により払出す。
【００３８】
（４）持玉券の発行
遊技者が発行ボタン３４を押下すると、これよりも前にメダルを計数しており、その
メダルの計数によりＲＡＭ７２ｃに一時的に記憶しておいた計数済持玉数を持玉券に記録し、その計数済持玉数を記録した持玉券をカード挿入口２９から発行すると共に、発行した持玉券に固有のＩＤ（持玉券ＩＤ）と計数済持玉数とを対応付けた信号を管理装置７に出力する。但し、計数済持玉数が所定の発行下限数（遊技場側の設定値であり、例えば５０枚）未満である場合には、持玉券を発行しない。尚、会員カードが挿入されている状態で遊技者が発行ボタン３４を押下した場合には、計数済持玉数に関わらず、その会員カードのＩＤに対応する貯玉情報（当日貯玉数）を更新した後に会員カードをカード挿入口２９から発行する。
【００３９】
（５）開閉部材７１の開閉
通常は、開閉部材７１を閉鎖位置に移動させて電磁的に施錠し、開放不可能状態に切り替えており（閉鎖状態を形成しており）、遊技者が開放ボタン３２を押下すると、開放指令信号を駆動部７５に出力し、開閉部材７１の電磁的な施錠を解除し、開放不可能状態から開放可能状態に切り替え、閉鎖位置から開放位置に移動させる（開放状態を形成する）。開閉部材７１を一旦開放位置に移動させた後は、計数検知センサ６４が最後にメダルを検知してからの時間を計測し、その時間が５秒に達するまでは開放状態を維持し、その時間が５秒に達すると、閉鎖指令信号を駆動部７５に出力し、開閉部材７１を開放位置から閉鎖位置に移動させて電磁的に施錠する。尚、計数検知センサ６４が最後にメダルを検知してからの時間を計測することに代えて、投入検知センサ６３が最後にメダルを検知してからの時間を計測して開放状態を維持したり開閉部材７１を閉鎖位置に移動させて電磁的に施錠したりしても良い。勿論、計数検知センサ６４が最後にメダルを検知してからの時間と、投入検知センサ６３が最後にメダルを検知してからの時間とを併用しても良い。又、スロットマシン２の受け皿２２にメダルが残った状態で遊技を終了する場合に対応するように、遊技場の従業員が所持する操作リモコンからのリモコン信号（開放信号又は閉鎖信号）に応じて開閉部材７１を開放位置と閉鎖位置との間で移動させる。
【００４０】
（６）不正なメダルの投入の検知
［背景技術］の欄で記載したように、遊技場においては、不正なメダルが各台計数機３に投入される場合があるので、不正なメダルが各台計数機３に投入される場合を考慮し、投入されたメダルが正規のメダルであるか不正なメダルであるかを特定する必要がある。正規のメダルとは、自店が発行したメダルであり、不正なメダルとは、自店が発行したメダル以外のメダルであり、他店が発行したメダルや遊技者が偽造したメダル等である。
【００４１】
この場合、計数検知センサ６４から画像を入力すると、その画像を解析してカメラやスキャナにより撮像したメダル（投入されたメダル）の模様やサイズを特定し、その特定した模様やサイズを予め登録している正規のメダルの模様やサイズと照合し、投入されたメダルが正規のメダルであるか不正なメダルであるかを特定する。具体的には、正規のメダルの模様におけるヒストグラム（模様の輝度（明暗の度合い）の分布を数値化したグラフ）等の特徴量を予め記憶しておき、投入されたメダルの模様におけるヒストグラム等の特徴量を算出し、両者の一致度が所定値以上であれば、投入されたメダルが正規のメダルであると特定し、投入されたメダルの枚数を加算する。一方、両者の一致度が所定値未満であれば、投入されたメダルが不正なメダルであると特定し、不正なメダルの投入を検知した各台計数機３を特定可能な不正検知信号を入出力部７６から後述するメダル補給装置８１に出力する。
【００４２】
又、投入されたメダルの凹凸の形状を正規のメダルの凹凸の形状と照合し、投入されたメダルが正規のメダルであるか不正なメダルであるかを特定しても良い。又、メダルに周波数や信号パターンが異なる発信信号を発信するＩＣチップを埋め込み、電磁誘導により磁界を発生させ、ＩＣチップから発信される発信信号を非接触通信モジュール等により受信させて周波数や信号パターンを解析することで、正規のパチンコ玉であるか不正なパチンコ玉であるかを特定しても良い。又、一の遊技場において貸出単価や景品交換率の違い等により複数種類のメダルを正規のメダルとする場合には、模様、刻印、色、材質等を異ならせ、それぞれの特徴量を予め記憶しておけば良いし、ＩＣチップに登録する周波数や信号パターンを異ならせれば良い。即ち、自店が貸出単価や景品交換率の違い等により複数種類のメダルを正規のメダルとして発行する場合、一のメダルは、そのメダルが対応する貸出単価や景品交換率と同じ貸出単価や景品交換率が設定されているコーナーで使用される場合には正規のメダルとなるが、一方、そのメダルが対応する貸出単価や景品交換率とは異なる貸出単価や景品交換率が設定されているコーナーで使用される場合には不正なメダルとなるので、このようにすることで、自店が発行したメダルが自店で不正なメダルとして使用される場合にも対応可能となる。尚、投入されたメダルが不正なメダルであると特定することが、不正な遊技媒体を計数しようとした不正行為を検知することに相当する。
【００４３】
さて、遊技場には、図５に示すように、複数のスロットマシン２及び各台計数機３を含む遊技機島毎にメダル補給装置８１が設置されている。メダル補給装置８１は、スロットマシン２及び各台計数機３から上記した回収路４３を介してメダルを回収すると共に、メダルを上記した補給路４２を介してスロットマシン２及び各台計数機３に補給する装置であり、ＬＡＮ６を介して中継装置５に接続されている（図１参照）。
【００４４】
メダル補給装置８１は、経路切換装置８２（不正遊技媒体排出手段、経路切換手段に相当）、洗浄機８３、不正メダル排出装置８４（不正遊技媒体排出手段に相当）、不正メダル貯留部８５（貯留部に相当）、メダル補給部８６等を有する。経路切換装置８２は、スロットマシン２及び各台計数機３から回収路４３を介して搬送されたメダル（回収されたメダル）を取り込み、その取り込んだメダルを正常時経路８７及び異常時経路８８の何れかに振り分ける。
【００４５】
具体的に説明すると、経路切換装置８２は、図６に示すように、回収路４３を正常時経路８７と異常時経路８８とに分岐し、回収路４３と正常時経路８７との間を開放又は閉鎖するゲート８９と、回収路４３と異常時経路８８との間を開放又は閉鎖するゲート９０とを有する。ゲート８９は、モータユニット９１に格納されているモータ９２が駆動することで開放位置と閉鎖位置との間を往復移動可能となっており、開放位置に移動されている状態では回収路４３から正常時経路８７へのメダルの通過を許可する一方、閉鎖位置に移動されている状態では回収路４３から正常時経路８７へのメダルの通過を禁止する。同様に、ゲート９０は、モータユニット９３に格納されているモータ９４が駆動することで開放位置と閉鎖位置との間を往復移動可能となっており、開放位置に移動されている状態では回収路４３から異常時経路８８へのメダルの通過を許可する一方、閉鎖位置に移動されている状態では回収路４３から異常時経路８８へのメダルの通過を禁止する。経路切換装置８２は、図６（ａ）に示すように、ゲート８９を開放位置に移動させている状態ではゲート９０を閉鎖位置に移動させる一方、図６（ｂ）に示すように、ゲート９０を開放位置に移動させている状態ではゲート８９を閉鎖位置に移動させるように制御する。即ち、回収路４３から経路切換装置８２に取り込まれたメダルは正常時経路８７及び異常時経路８８の何れかに択一的に流れる。
【００４６】
洗浄機８３は、経路切換装置８２から正常時経路８７に流れたメダルを取り込み、その取り込んだメダルを洗浄し、洗浄したメダルを経路９５を介してメダル補給部８６に供給する。メダル補給部８６は、洗浄機８３から経路９５に流れたメダルを取り込み、その取り込んだメダルを補給路４２に供給する。
【００４７】
不正メダル排出装置８４は、メダルの経路が異常時経路８８に切換わっている期間を含む期間で駆動し、即ち、メダルの経路が正常時経路８７から異常時経路８８に切換わったタイミングで駆動を開始し、メダルの経路が異常時経路８８から正常時経路８７に切換わってから所定時間（メダルが経路切換装置８２から不正メダル排出装置８４に搬送されるまでの時間を考慮した時間）が経過したタイミングで駆動を終了する。不正メダル排出装置８４は、経路切換装置８２から異常時経路８８に流れたメダルを取り込み、その取り込んだメダルを正規のメダルと不正なメダルとに振り分ける。具体的に説明すると、不正メダル排出装置８４は、図７及び図８に示すように、異常時経路８８から落下したメダルを収納する収納容器９６、回転盤９７を有する回転盤本体９８、回転盤９７を回転させるモータ９９、回転盤本体９８からメダルを排出する排出路１００等を有する。収納容器９６にはメダルを回転盤本体９７に排出する排出路１０１が一体的に形成されており、その排出路１０１の途中部位には通過検知センサ１０２が設けられている。又、排出路１００の途中部位には不正メダル検知センサ１０３（不正遊技媒体検知手段に相当）が設けられている。尚、図７は、収納容器９６を省略した状態を示している。
【００４８】
不正メダル排出装置８４においては、異常時経路８８から落下したメダルは収納容器９６に収納されて回転盤本体９８に排出される。回転盤本体９８に排出されたメダルは回転盤９７がモータ９９により回転軸１０４を回転中心として例えば反時計周りに回転することで、回転盤９７に形成されている５個の穴部１０５のうち何れかに挿入された状態で所定位置まで回転されると、ガイドピン１０６により排出路１００に送出される。排出路１００に送出されたメダルは不正メダル検知センサ１０３の検知結果に応じてメダル振分部１０７（案内手段に相当）にて洗浄機８３へと続く経路１０８及び不正メダル貯留部８５へと続く経路１０９の何れかに振り分けられる。
【００４９】
即ち、不正メダル検知センサ１０３は、各台計数機３に設けられている上記した計数検知センサ６４と同様の構成であり、通過するメダルを撮像するカメラやスキャナを有し、カメラやスキャナにより撮像したメダル（通過したメダル）の模様やサイズを特定可能な画像を取得する。この場合も、カメラやスキャナの個数は任意であり、メダルの表面だけを撮像した画像、メダルの裏面だけを撮像した画像、メダルの表面と裏面の双方を撮像した画像の何れを取得しても良い。不正メダル排出装置８４は、このようにして不正メダル検知センサ１０３が取得した画像を解析してカメラやスキャナにより撮像したメダルの模様やサイズを特定し、その特定した模様やサイズを予め登録している正規のメダルの模様やサイズと照合し、通過したメダルが正規のメダルであるか不正なメダルであるかを特定する。
【００５０】
具体的には、この場合も、正規のメダルの模様におけるヒストグラム等の特徴量を予め記憶しておき、通過したメダルの模様におけるヒストグラム等の特徴量を算出し、両者の一致度が所定値以上であれば、通過したメダルが正規のメダルであると特定し、その正規のメダルであると特定したメダルをメダル振分部１０７にて洗浄機８３へと続く経路１０８に振り分け、一方、両者の一致度が所定値未満であれば、通過したメダルが不正なメダルであると特定し、その不正なメダルであると特定したメダルをメダル振分部１０７にて不正メダル貯留部８５へと続く経路１０９に振り分ける。尚、回転盤９７の５個の穴部１０５が等間隔に設けられており、回転盤９７の回転速度が一定であれば、回転盤本体９８からメダル振分部１０７へと続く排出路１００ではメダルが１個ずつ等間隔で規則的に流れることになる。即ち、不正メダル検知センサ１０３がメダルを正規のメダルであるか不正なメダルであるかを特定した時点から当該特定の対象となったメダルがメダル振分部１０７に到達するまでの時間（タイムラグ）は、排出路１００を流れるメダルで一定となる。このような構成により、メダル振分部１０７は、不正メダル検知センサ１０３を通過したメダルを当該不正メダル検知センサ１０３の検知結果に応じて精度良く振り分けることが可能である。尚、メダル振分部１０７がメダルを振り分ける具体的な構成としては、例えば上記した経路切換装置８２のようにゲートを採用した構成であれば良い。又、通過検知センサ１０２がメダルの通過を検知したことを契機として回転盤９７が回転するように構成されている。
【００５１】
上記した構成において、経路切換装置８２は、回収路４３から正常時経路８７へのメダルの通過と、回収路４３から異常時経路８８へのメダルの通過との切換を以下のようにして行う。不正なメダルが各台計数機３に投入され、不正なメダルが投入されたことが各台計数機３の計数検知センサ６４により検知されると、上記したように、その不正なメダルが投入された各台計数機３を特定可能な不正検知信号が当該各台計数機３からメダル補給装置８１に出力される。遊技機島においては、メダル補給装置８１が島端に設置されているので、それぞれの各台計数機３からメダル補給装置８１までの距離は各台計数機３毎に異なる。このような事情を考慮し、経路切換装置８２は、図９に示すように、各台計数機３に対応して異なる経路切換時間を設定している。
【００５２】
図９に示す「到達するまでの時間」は、メダルが各台計数機３に投入された場合に、そのメダルが各台計数機３から回収路４３に落下した時点から当該回収路４３の端部（経路切換装置８２におけるメダルを取り込む部分）に搬送されるまでの時間であり、メダル補給装置８１に近く設置されている各台計数機３ほど短く設定し、メダル補給装置８１から遠く設置されている各台計数機３ほど長く設定している。尚、この「到達するまでの時間」は、メダルの回収速度（回収路４３のベルトコンベア７０の回転速度）に依存する。図９では、例えば台番（遊技機番号）「１」のスロットマシン２に対応する計数機番号「１０１」の各台計数機３に対しては「１５秒」を例示している。
【００５３】
図９に示す「経路切換時間」は、各台計数機３（の制御部７２）が不正なメダルを検知した時点、即ち、不正なメダルを検知した各台計数機３から出力された不正検知信号がＬＡＮ６を介してメダル補給装置８１に入力された時点を「０」とし、正常時経路８７から異常時経路８８に切換える時間である。「到達するまでの時間」と対応し、「到達するまでの時間」が短いほど切換開始のタイミング及び切換終了のタイミングを早く設定し、「到達するまでの時間」が長いほど切換開始のタイミング及び切換終了のタイミングを遅く設定している。図９では、例えば台番（遊技機番号）「１」のスロットマシン２に対応する計数機番号「１０１」の各台計数機３に対しては「１５〜４５秒」を例示している。即ち、計数機番号「１０１」の各台計数機３から出力された不正検知信号がメダル補給装置８１に入力された時点から１５秒後に正常時経路８７から異常時経路８８に切換え、４５秒後に（正常時経路８７から異常時経路８８に切換えた時点から３０秒後に）異常時経路８８から正常時経路８７に切換える。
【００５４】
上記した「到達するまでの時間」及び「経路切換時間」はあくまでも例示であり、以下のような事態を考慮して柔軟に可変としても良い。即ち、一のメダル補給装置８１に対して複数の各台計数機３が設置された遊技機島では、複数の遊技者がそれぞれの各台計数機３にてメダルの計数を行うタイミングが重なると、一度に大量のメダルが回収路４３に流れ、メダルが渋滞することが想定されるので、回収路４３に流れているメダルの量を逐一監視し、各台計数機３から出力された不正検知信号が入力された時点で回収路４３に流れているメダルの量に応じて「到達するまでの時間」及び「経路切換時間」を決定しても良い。例えば各台計数機３から出力された不正検知信号が入力された時点で回収路４３に流れているメダルの量が多い場合には、その不正の検知の対象となったメダルがメダル補給装置８１に取り込まれるまでの時間が長引く可能性があるので、例えば切換開始のタイミングをそのままとする（変更しない）一方で、切換終了のタイミングを遅らせるように変更しても良い。尚、回収路４３に流れているメダルの量を監視する方法としては、それぞれの各台計数機３の計数履歴（計数部４２の稼働状況）を解析して特定する方法、回収路４３に流れているメダルを撮像し、その撮像した画像を解析して特定する方法等を採用すれば良い。
【００５５】
又、同じ各台計数機３から不正検知信号が出力されてから再度出力される場合もあり得るので、先の不正検知信号が入力されたことに対応する経路切換時間の切換終了タイミングに達する前に、後の不正検知信号が入力されたことに対応する経路切換時間の切換開始タイミングが達した場合には、先の不正検知信号が入力されたことに対応する経路切換時間の切換終了タイミングに達したとしても、異常時経路８８から正常時経路８７に切換えずに、異常時経路８８に切換えている状態を継続するようにしても良い。又、先の不正検知信号が入力されたことに対応する経路切換時間の切換終了タイミングと後の不正検知信号が入力されたことに対応する経路切換時間の切換開始タイミングとの間隔が極めて短い場合にも、先の不正検知信号が入力されたことに対応する経路切換時間の切換終了タイミングに達したとしても、異常時経路８８から正常時経路８７に切換えずに、異常時経路８８に切換えている状態を継続するようにしても良い。
【００５６】
又、異なる各台計数機３から不正検知信号が出力されるタイミングが重なる場合もあり得るので、例えば先に不正検知信号を出力した一の各台計数機３に対応して設定している経路切換時間の切換終了タイミングに達する前に、後から不正検知信号を出力した別の各台計数機３に対応して設定している経路切換時間の切換開始タイミングが達した場合には、先に不正検知信号を出力した一の各台計数機３に対応して設定している経路切換時間の切換終了タイミングに達したとしても、異常時経路８８から正常時経路８７に切換えずに、異常時経路８８に切換えている状態を継続するようにしても良い。又、先に不正検知信号を出力した一の各台計数機３に対応して設定している経路切換時間の切換終了タイミングと後から不正検知信号を出力した別の各台計数機３に対応して設定している経路切換時間の切換開始タイミングとの間隔が極めて短い場合にも、先に不正検知信号を出力した一の各台計数機３に対応して設定している経路切換時間の切換終了タイミングに達したとしても、異常時経路８８から正常時経路８７に切換えずに、異常時経路８８に切換えている状態を継続するようにしても良い。
【００５７】
尚、上記した構成では、経路切換装置８２にて正常時経路８７から異常時経路８８に切換えること、不正メダル排出装置８４を駆動すること（通過するメダルを撮像すること）が、不正な遊技媒体を循環経路から排出するように駆動することに相当する。又、投入されたメダルが不正なメダルであると特定した（不正な遊技媒体を計数しようとした不正行為を検知した）場合に、正常時経路８７から異常時経路８８に切換え、不正なメダルを排出するように動作するが、投入されたメダルが不正なメダルであると特定していない（不正な遊技媒体を計数しようとした不正行為を検知していない）場合には、正常時経路８７から異常時経路８８に切換えず、不正なメダルを排出するように動作しない。
【００５８】
又、図５に示した構成では、メダル補給装置８１は、メダルを自身が設置されている遊技機島のスロットマシン２や各台計数機３から回収路４３を介して回収するだけでなく、自身が設置されている遊技機島以外の他の遊技機島のスロットマシンや各台計数機（図示せず）からも島渡し回収路１１０を介して回収すると共に、メダルを自身が設置されている遊技機島のスロットマシン２や各台計数機３に補給路４２を介して補給するだけでなく、自身が設置されている遊技機島以外の他の遊技機島のスロットマシンや各台計数機（図示せず）にも島渡し補給路１１１を介して補給する構成を例示しているが、自身が設置されている遊技機島のスロットマシン２や各台計数機３だけを回収や補給の対象とする構成でも良い。尚、補給路４２からスロットマシン２や各台計数機３に補給されなかったメダルは回収路４３へと循環される。
【００５９】
又、メダル補給装置８１において、経路切換装置８２からメダル補給部８６までの経路、即ち、経路切換装置８２から洗浄機８３に続く正常時経路８７と、洗浄機８３からメダル補給部８６に続く経路９５と、経路切換装置８２から不正メダル排出装置８４に続く異常時経路８８と、不正メダル排出装置８４から洗浄機８３に続く経路１０８との４つの経路が、メダルを遊技機島に循環させる（回収した後に補給する）循環経路１１２である。要するに、メダル補給装置８１内の循環経路１１２の途中部位に、不正なメダルを循環経路１１２から排出する不正メダル排出装置８４が設けられている。
【００６０】
以上に説明したように本実施形態によれば、メダルが回収路４３からメダル補給装置８１の循環経路１１２を経由して補給路４２に補給されるまでの区間（メダル補給装置８１内の循環経路１１２の途中部位）に、不正なメダルを循環経路１１２から排出する不正メダル排出装置８４を設けたので、不正なメダルがスロットマシン２や各台計数機３に補給される前に、不正なメダルを循環経路１１２から排出することができ、不正なメダルがスロットマシン２や各台計数機３に補給されてしまうことを抑制することができる。又、各台計数機３に不正なメダルを排除する構成を設ける必要をなくすことができる。又、大量のメダルが循環されることが想定されるが、遊技者が各台計数機３にて不正なメダルを計数しようとした不正行為を検知した場合に、不正メダル排出装置８４を駆動するようにしたので、不正メダル排出装置８４を常に駆動する必要がなく、循環中のメダルの全てに対して一様に不正なメダルであるか否かを判定する場合に比べ、メダルの循環速度を速くしたり、不正メダル排出装置８４に過度な負荷がかかることを抑制したりすることができる。
【００６１】
又、不正なメダルが不正メダル貯留部８５に貯留されるようにしたので、遊技場の管理者が不正なメダルを容易に回収することができる。
又、不正メダル検知センサ１０３による検知が行われる異常時経路８８と、不正メダル検知センサ１０３による検知が行われない正常時経路８７とを切換えるようにしたので、循環中のメダルの全てに対して一様に検知を行う場合に比べ、メダルの循環速度が遅くなることを抑制することができる。
【００６２】
本発明は、上記した実施形態にのみ限定されるものではなく、以下のように変形又は拡張することができる。又、それぞれの変形例を組み合わせても良い。
遊技者が投入した紙幣を受付けることでメダルを貸出す機構と、遊技者が払出ボタン３３を押下したことで計数済持玉数の範囲内でメダルを払出す機構とが、払出部４０として兼用される構成を例示したが、それらが別々に設けられる構成でも良い。
【００６３】
払出部４０と計数部４１とが同一の筐体２６内に収容される構成を例示したが、払出部４０及び計数部４１がスロットマシン２毎に設けられる構成であれば、別々の筐体内に収容される構成でも良い。
【００６４】
開閉部材７１が往復移動することで開放状態及び閉鎖状態を形成する構成を例示したが、回動することで開放状態及び閉鎖状態を形成する構成でも良い。又、伸縮することで開放状態及び閉鎖状態を形成する構成でも良い。伸縮可能な部材を用いる場合には、伸縮可能な部材が伸びた状態でメダルの投入口３９への投入を可能な開放状態を形成し、伸縮可能な部材が縮んだ状態でメダルの投入口３９への投入を不可能な閉鎖状態を形成する構成でも良い。
【００６５】
メダルを投入可能な投入可能状態と投入不可能な投入不可能状態とを切換える方法として、投入口３９を固定的に設け、開閉部材７１を往復移動可能に設ける構成を例示したが、投入口を例えば凹部を有する形状で且つ往復移動可能に構成し、その投入口がメダルを投入可能な投入可能位置と投入不可能な投入不可能位置との間で往復移動することで、投入口の開口部の開放状態と閉鎖状態とを切換え、投入可能状態と投入不可能状態とを切換える構成でも良い。勿論、投入口が回動することで、投入可能状態と投入不可能状態とを切換えても良い。
【００６６】
スロットマシン２と各台計数機３とが１対１に対応する構成を例示したが、スロットマシン２と各台計数機３とがｎ（ｎは２以上の整数）対１に対応する構成でも良い。
各台計数機３において、計数検知センサ６４の検知結果に基づいて、投入されたメダルが正規のメダルであると特定すると、投入されたメダルの枚数を加算する一方、投入されたメダルが不正なメダルであると特定すると、不正なメダルを計数しようとした不正行為を検知する構成を例示したが、投入されたメダルの枚数を加算するためのセンサと、不正行為を検知するためのセンサとを別々に設ける構成でも良い。
【００６７】
計数検知センサ６４が排出路６１の途中部位として収納容器５７の下方に設けられた構成を例示したが、収納容器５７の下方でなくても良い。即ち、遊技者が不正なメダルを計数しようとした不正行為を検知可能であればどのような部位に設けられる構成でも良く、例えば計数検知センサ６４が撮像した画像を各台計数機３の内部（制御部７２）ではなく外部で解析する構成であれば、計数検知センサ６４が各台計数機３の外部に設けられる構成でも良い。即ち、メダルが投入されてから回収路４３により循環経路１１２に案内されるまでの区間であれば、どのような部位に設けられる構成でも良い。
【００６８】
メダル補給装置８１において、正常時経路８７と異常時経路８８とを切換可能とし、各台計数機３が不正なメダルの投入を検知したことを契機として所定時間が経過した後に正常時経路８７から異常時経路８８に切換える構成を例示したが、正常時経路８７と異常時経路８８とを設けずに、不正なメダルであるか否かに関わらずメダルが一の経路を通過し、その一の経路に不正なメダルを検知する不正メダル排出装置８４を設け、各台計数機３が不正なメダルの投入を検知したことを契機として所定時間が経過した後に当該不正メダル排出装置８４を駆動する構成でも良い。又、不正メダル排出装置８４を常に駆動しておき、各台計数機３が不正なメダルの投入を検知したことを契機としてメダルが一の経路を通過する通過速度を遅くすることで、不正なメダルの検知精度を高めるようにしても良い。即ち、各台計数機３が不正なメダルの投入を検知した場合に、不正なメダルの検知精度を高めることができれば、どのような構成を採用しても良い。
【００６９】
メダル補給装置８１において、不正メダル排出装置８４を回収路４３からメダル補給部８６までの区間に設けることで、不正なメダルをメダル補給部８６の前段階で排出する構成を例示したが、不正メダル排出装置８４に相当する構成をメダル補給部８６から補給路４２までの区間に設けることで、不正なメダルをメダル補給部８６の後段階で排出する構成でも良い。その場合、不正なメダルがメダル補給部８６から流れる可能性の高いタイミングで、不正メダル排出装置８４に相当する構成を駆動すれば良い。又、不正なメダルを遊技場の管理者が目視にて排除しても良い。
【００７０】
不正メダル排出装置８４がメダル補給装置８１に設けられた構成を例示したが、不正メダル排出装置８４がメダル補給装置８１の外部に（メダル補給装置８１とは別に）設けられる構成でも良い。例えば不正メダル排出装置８４が回収路４３の途中部位に設けられ、各台計数機３に投入された不正なメダルが回収路４３の端部まで搬送される前に、回収路４３から排出される構成でも良い。又、一の遊技機島に対して不正メダル排出装置８４が複数設置される構成でも良く、一の不正メダル排出装置８４がメダル補給装置８１に設置されると共に別の不正メダル排出装置８４が回収路４３の途中部位に設置される構成や、複数の不正メダル排出装置８４が回収路４３の異なる途中部位に設置される構成でも良い。
【００７１】
遊技媒体がメダルであり、各台計数機３がメダルを計数する構成を例示したが、遊技媒体がパチンコ玉であり、各台計数機３がパチンコ玉を計数する構成であれば、投入されたパチンコ玉が正規のパチンコ玉であるか不正なパチンコ玉であるかを以下のように特定すれば良い。即ち、パチンコ玉の模様、刻印、色、材質等を識別するセンサ（光電センサ、磁気センサ、通電センサ、画像センサ等）を設け、正規のパチンコ玉の特徴量を予め記憶しておき、投入されたパチンコ玉の特徴量を算出し、両者の一致度が所定値以上であれば、投入されたパチンコ玉が正規のパチンコ玉であると特定する一方、両者の一致度が所定値未満であれば、投入されたパチンコ玉が不正なパチンコ玉であると特定すれば良い。一の遊技場において貸出単価や景品交換率の違い等により複数種類のパチンコ玉を正規のパチンコ玉とする場合には、刻印、模様、色、材質等を異ならせ、それぞれの特徴量を予め記憶しておけば良い。又、パチンコ玉に周波数や信号パターンが異なる発信信号を発信するＩＣチップを埋め込んだり、そのＩＣチップに登録する周波数や信号パターンを異ならせたりしても良い。
【符号の説明】
【００７２】
図面中、１は遊技場用システム、２はスロットマシン（遊技機）、４０は払出部（貸出手段）、４１は計数部（計数手段）、４２は補給路（補給手段）、４３は回収路（回収手段）、６４は計数検出センサ（不正計数検知手段）、８２は経路切換装置（不正遊技媒体排出手段、経路切換手段）、８４は不正メダル排出装置（不正遊技媒体排出手段）、８５は不正メダル貯留部（貯留部）、８７は正常時経路、８８は異常時経路、１０３は不正メダル検知センサ（不正遊技媒体検知手段）、１０７はメダル振分部（案内手段）、１１２は循環経路である。
【図１】
2014140576.tif 000003
【図２】
2014140576.tif 000004
【図３】
2014140576.tif 000005
【図４】
2014140576.tif 000006
【図５】
2014140576.tif 000007
【図６】
2014140576.tif 000008
【図７】
2014140576.tif 000009
【図８】
2014140576.tif 000010
【図９】
2014140576.tif 000011